(57)【要約】      （修正有）【課題】昼間にＬＥＤを点灯せずとも充分な視認性を得ることができ、しかも、夜間にＬＥＤを点灯した際に、少ない数のＬＥＤであっても充分な視認性を得ることができ、さらに、極めて簡単な構成を有すると共に安価に製造することができる表示装置を提供する。【解決手段】表示装置は、表示すべき所望の外周形状を有すると共に光を透過可能な多数の貫通孔２ａを有し、表面が所望の色に着色されている前面板部材２と、前面板部材の背面側に互いに離隔して設けられた複数のＬＥＤ５ａとを備え、複数のＬＥＤから放射された光が、前面板部材の貫通孔を透過して前方に直接的に照射されるように構成されている。【選択図】図２
0003218762.tif 000002
【実用新案登録請求の範囲】
【請求項１】
表示すべき所望の外周形状を有すると共に光を透過可能な多数の貫通孔を有し、表面が所望の色に着色されている前面板部材と、該前面板部材の背面側に互いに離隔して設けられた複数の発光ダイオードとを備えており、前記複数の発光ダイオードから放射された光が、前記前面板部材の前記貫通孔を透過して前方に直接的に照射されるように構成されていることを特徴とする表示装置。
【請求項２】
前記前面板部材の外周に沿って設けられ、該前面板部材に固着されている枠部材をさらに備えていることを特徴とする請求項１に記載の表示装置。
【請求項３】
前記前面板部材の背面側に該前面板部材に離隔して設けられた基板をさらに備えており、前記複数の発光ダイオードが前記基板上に実装されていることを特徴とする請求項１又は２に記載の表示装置。
【請求項４】
前面が開口し他の面が閉塞されている筐体をさらに備えており、該筐体の前面に前記前面板部材が固着されており、該筐体の内部に前記基板が装着されていることを特徴とする請求項３に記載の表示装置。
【請求項５】
前記複数の発光ダイオードが、前記基板上に複数列で千鳥配置されていることを特徴とする請求項３又は４に記載の表示装置。
【請求項６】
各発光ダイオード群を前記複数の発光ダイオードから構成した複数の発光ダイオード群が、前記基板上に複数列で千鳥配置されていることを特徴とする請求項３又は４に記載の表示装置。
【請求項７】
前記複数の発光ダイオードの各々が、光拡散性の発光ダイオードであることを特徴とする請求項１から６のいずれか１項に記載の表示装置。
【請求項８】
前記表示すべき所望の外周形状が、ＬＥＤ看板として表示すべき文字、図形、及び／又はロゴマークの形状であることを特徴とする請求項１から７のいずれか１項に記載の表示装置。
【考案の詳細な説明】
【技術分野】
【０００１】
本考案は、複数の発光ダイオード（ＬＥＤ、Ｌｉｇｈｔ  Ｅｍｉｔｔｉｎｇ  Ｄｉｏｄｅ）が内部に装着された例えば看板等の表示装置に関する。
【背景技術】
【０００２】
近年、ＬＥＤを光源として用い、文字、図形又はロゴマーク等の表示を行う看板（ＬＥＤ看板）が広く普及している。このようなＬＥＤ看板は、一般に、前面に拡散板を設けた筐体内部に複数のＬＥＤを配置し、ＬＥＤからの光が照射された拡散板によって文字、図形又はロゴマーク等を光表示するように構成されている。
【０００３】
特許文献１には、コ字状断面の溝形ケースと、この溝形ケースの開口部を閉塞する前面板と、固定基板に配設される複数のＬＥＤと、複数のＬＥＤを点灯する点灯回路とを備えたＬＥＤ看板が記載されている。前面板は、透光性を有しているが、外側から内部が見えないように着色されている。前面板の外周縁に沿った位置に配置した第１のＬＥＤゾーンには蛍光体で波長変換して発光する複数のＬＥＤを設け、第１のＬＥＤゾーンの内側に配置した第２のＬＥＤゾーンには波長変換することなくそのまま発光する複数のＬＥＤを設けている。さらに、第１のＬＥＤゾーンのＬＥＤの点灯時間を第２のＬＥＤゾーンのＬＥＤの点灯時間よりも長くしてこれらＬＥＤを点滅させて発光させるか、又は第１のＬＥＤゾーンのＬＥＤを連続して点灯させ第２のＬＥＤゾーンのＬＥＤを点滅させて発光させている。これにより、特許文献１に記載のＬＥＤ看板によれば、ＬＥＤを明るく点灯させるか点滅させることにより、昼間でも良好な視認性が得られると共に、夜間においても、看板全体を暗くすることなく、近くで見たときに全体を均一な発光面として、文字形状のデザインを目立たせることができるとされている。
【先行技術文献】
【特許文献】
【０００４】
【特許文献１】特開２００３−６６８８０号公報
【考案の概要】
【考案が解決しようとする課題】
【０００５】
しかしながら、特許文献１に記載のＬＥＤ看板は、視認性を向上させるために多数のＬＥＤを使用し、これらを昼間においても点灯させるか点滅させる必要があり、多数のＬＥＤを用いる必要があることはもちろんのこと、ＬＥＤの波長変換機構や連続点灯若しくは点滅による発光時間の制御を行う機構、比較的複雑な形状を有する導光板、及び拡散板を用いる必要があった。このため、製造コストが非常に高かった。
【０００６】
また、従来の多くのＬＥＤ看板は、前面板として透光性を有する乳白色等の拡散板を用いているため、周囲が明るい環境である昼間においては、看板の背景色にもよるが、ＬＥＤを点灯しないと文字形状等のデザインを目立たせることが難しかった。前面板に乳白色以外に着色したものを用いてＬＥＤ非点灯時の昼間の視認性を向上させようとすると、その前面板の透過率が低下するため、夜間にＬＥＤを点灯した時の前面の輝度が低下し、視認性が低下してしまう。これを補うためには、より多くのＬＥＤを設けることが要求される。
【０００７】
本考案はこのような現状に鑑みて創案されたものであり、その目的は、昼間にＬＥＤを点灯せずとも充分な視認性を得ることができ、しかも、夜間にＬＥＤを点灯した際に、少ない数のＬＥＤであっても充分な視認性を得ることができる表示装置を提供することにある。
【０００８】
本考案の他の目的は、極めて簡単な構成を有すると共に安価に製造することができる表示装置を提供することにある。
【課題を解決するための手段】
【０００９】
本考案の表示装置は、表示すべき所望の外周形状を有すると共に光を透過可能な多数の貫通孔を有し、表面が所望の色に着色されている前面板部材と、この前面板部材の背面側に互いに離隔して設けられた複数のＬＥＤ（発光ダイオード）とを備えており、複数のＬＥＤから放射された光が、前面板部材の貫通孔を透過して前方に直接的に照射されるように構成されている。
【００１０】
昼間（周囲が明るい環境）においては、ＬＥＤを点灯させずとも、表面が所望の色に着色されている前面板部材によって表示すべき所望の形状を視認することができ、夜間（周囲が暗い環境）においては、ＬＥＤを点灯し、点灯した複数のＬＥＤからの光が前面板部材に設けられた多数の貫通孔を透過して前方に直接的に照射される。これにより、夜間においてはＬＥＤを点灯して減衰の少ない充分な光を前方に照射することができ、使用するＬＥＤの数が少ない場合であっても視認性が良好となる。その結果、昼間にＬＥＤを点灯せずとも充分な視認性を得ることができ、しかも、夜間にＬＥＤを点灯して充分な視認性を得ることができるという、昼夜兼用の表示を行うことができる。また、光を透過可能な多数の貫通孔を有する前面板部材を設けることのみで良いため構成が非常に簡単であり、しかも、使用するＬＥＤの数が少なくて済む。その結果、製造コストが極めて安価な表示装置を提供することができる。
【００１１】
前面板部材の外周に沿って設けられ、前面板部材に固着されている枠部材をさらに備えていることが好ましい。このように枠部材を設けることにより、前面板部材の外周部分の強度が高くなり、また、この枠部材の色調により、前面板部材の外周部が強調されて明確に表示されるようになり、ＬＥＤ非点灯時であっても、看板の視認性を高めることが可能となる。
【００１２】
前面板部材の背面側にこの前面板部材に離隔して設けられた基板をさらに備えており、複数のＬＥＤがこの基板上に実装されていることも好ましい。
【００１３】
前面が開口し他の面が閉塞されている筐体をさらに備えており、この筐体の前面に前面板部材が固着されており、この筐体の内部に上述の基板が装着されていることも好ましい。
【００１４】
複数のＬＥＤが基板上に複数列で千鳥配置されているか、又は各ＬＥＤ群を複数のＬＥＤから構成した複数のＬＥＤ群が基板上に複数列で千鳥配置されていることも好ましい。このような構成とすれば、視認性を確保しつつ使用するＬＥＤの数を低減することができる。
【００１５】
複数のＬＥＤの各々が、光拡散性のＬＥＤであることも好ましい。
【００１６】
表示すべき所望の外周形状が、ＬＥＤ看板として表示すべき文字、図形、及び／又はロゴマークの形状であることも好ましい。
【考案の効果】
【００１７】
本考案によれば、昼間にＬＥＤを点灯せずとも充分な視認性を得ることができ、しかも、夜間にＬＥＤを点灯して充分な視認性を得ることができるという、昼夜兼用の表示を行うことができる。また、構成が非常に簡単であり、しかも、使用するＬＥＤの数が少なくて済むので、製造コストが極めて安価である。
【図面の簡単な説明】
【００１８】
【図１】本考案の表示装置の一実施形態に係るＬＥＤ看板の外部構成を概略的に示す斜視図である。
【図２】図１のＬＥＤ看板の分解斜視図である。
【図３】図１のＡ−Ａ線断面図である。
【図４】図１のＢ−Ｂ線断面図である。
【図５】図１のＬＥＤ看板の基板の構成を概略的に示す平面図である。
【考案を実施するための形態】
【００１９】
以下、これら図面を参照し、本考案の表示装置の一実施形態に係るＬＥＤ看板について詳細に説明する。
【００２０】
図１及び図２に示すように、本考案の一実施形態に係るＬＥＤ看板１は、アルファベットの「Ｃ」の文字を表示する看板である。なお、本実施形態における「Ｃ」の文字を表示する看板は単なる一例であり、本考案のＬＥＤ看板は、その他の種々の文字、図形、及び／又はロゴマークの形状を表す看板であっても良いことはもちろんである。本実施形態におけるＬＥＤ看板１は、表示すべき「Ｃ」の文字の外周形状を有すると共に光を透過可能な多数の素通しの貫通孔２ａを有し、表面が所望の色に着色されている前面板部材２と、前面板部材２の外周に沿って設けられこの前面板部材２に固着されている枠部材３と、前面が開口し他の面が閉塞されており、開口した前面に前面板部材２が固着されている筐体４と、前面板部材２の背面側である筐体４内に装着されている基板５と、基板５上に互いに離隔して実装されている複数のＬＥＤ５ａとを備えている。
【００２１】
前面板部材２は、表面が所望の色に着色されていると共に、光透過可能な多数の貫通孔２ａを有し、複数のＬＥＤ５ａから放射された光がこれら素通しの貫通孔２ａを透過して、前面板部材２の前面に直接的に照射されるように構成されている。貫通孔２ａは前面板部材２に規則正しく整列していても良いし、ランダムに配置されていても良い。貫通孔２ａの直径は、使用するＬＥＤの寸法に応じて、適宜設定することが可能であるが、一般的には、３〜５ｍｍφである。隣り合う貫通孔２ａ間の距離も３〜５ｍｍに設定されている。
【００２２】
前面板部材２は、貫通孔２ａ以外の部位では光を透過させない光不透過性の材料で構成されており、表面が着色されている。前面板部材２の構成材料の強度は、多数の貫通孔２ａを形成することが可能な強度を有するものであれば特に限定されるものではない。例えば、冷延鋼板、ステンレス鋼板若しくはアルミニウム合金板等の各種金属板、光不透過性のポリエチレンテレフタレート（ＰＴＦＥ）等のフッ素系樹脂、高密度ポリエチレン樹脂、エポキシ樹脂、塩化ビニル樹脂、ポリカーボネート若しくは光遮蔽色素を含有するポリプロピレン樹脂等の各種樹脂板、光不透過性のアルミナ、窒化アルミニウム若しくは窒化ケイ素等の各種セラミック板、又は光不透過性のベニヤ板等の木材板を用いることができる。前面板部材２を、これらの材料からなるメッシュ板又はパンチング板で構成してもよい。前面板部材２として、汎用のメッシュ板又はパンチング板を適用すれば、その材料設計に要する時間やコストを削減することができ、本考案に係るＬＥＤ看板のコストを低減化することができる。前面板部材２の厚さは、多数の貫通孔２ａを形成可能であれば特に限定されない。
【００２３】
筐体４は、図２に示すように、前面が開口して開口部４ａを構成しており、それ以外の底面及び側面が閉塞されて底面部４ｂ及び側面部４ｃを構成している。即ち、筐体４は、前面が開口したコ字状断面を有しており、その全体が表示すべき「Ｃ」の文字表すような形状に構成されている。即ち、筐体４の底面部４ｂが表示すべき「Ｃ」の文字の外周形状を有しており、筐体４の前面である開口部４ａも表示すべき「Ｃ」の文字の外周形状を有している。この開口部４ａは前面板部材２が固着されて閉じられている。この筐体４を構成する材料として、前面板部材２で使用できる材料をそのまま使用することが可能である。
【００２４】
複数のＬＥＤ５ａの各々は、光拡散性のＬＥＤであり、種々の製造会社から市販されている一般的な砲弾型又はチップ型ＬＥＤを用いることができる。また、種々の色の光を出射するＬＥＤを用いることができる。例えば、ＬＥＤ５ａとして、白色ＬＥＤを用いても良いし、赤色ＬＥＤ、緑色ＬＥＤ及び青色ＬＥＤの三原色を単独に又は適宜組み合わせて用いても良い。また、光の明るさや色温度を段階的に変更するように構成してもよい。
【００２５】
複数のＬＥＤ５ａは、配線基板で構成可能なる基板５上に実装されている。本実施形態では、基板５が表示すべき「Ｃ」の文字の外周形状を有しており、ＬＥＤ５ａは基板５の長さ方向に沿った複数列（本実施形態では３列）で実装されている。本実施形態では、ＬＥＤ５ａを３列に配列させているが、本考案はこれに限定されるものではなく、ＬＥＤ５ａを３列以外の複数列で配列させることも可能である。特に、製造コストと、ＬＥＤ５ａを発光させた際の外観品質との調和を図る点から、ＬＥＤ５ａを基板５上に３列、４列又は５列に配列させて実装することが望ましい。また、このように構成すれば、複数のＬＥＤ５ａからの発熱を適切に抑えて、適切な輝度で発光するＬＥＤ看板１を提供することができる。
【００２６】
枠部材３は、前面板部材２の外周に沿って設けられ、この前面板部材２と筐体４とを連結している。この枠部材３を構成する材料として、前面板部材２で使用できる材料を使用することが可能である。この枠部材３を設けることにより、前面板部材２と筐体４とを所定の連結強度で連結してＬＥＤ看板１の強度の向上を図ることができる。さらに、この枠部材３は、前面板部材２の縁部を強調し、前面板部材２への意匠性を付与し、前面板部材２の形状の明瞭化を図ることができる。また、前面板部材２及び枠部材３自体によって、複数のＬＥＤ５ａを点灯しない場合であっても、看板として表示することが可能であり、さらに、前面板部材２及び枠部材３の色の組み合わせを適宜選択することによって看板としての表示を顕著に際立たせることができる。
【００２７】
従来のＬＥＤ看板においては、複数のＬＥＤから出射される発光の点滅や強弱又は発光色の変化を制御する手段を最適化することで、ＬＥＤ点灯時での表示を際立たせることが行われていたが、本考案では、このような複雑な制御手段を用いることなく、ＬＥＤ５ａを単に点灯させる極めて簡単な制御回路で表示を際立たせることができる。即ち、複数のＬＥＤ５ａからの光が前面板部材２に設けられた多数の素通しの貫通孔２ａを透過して前方に直接的に照射されるように構成されているため、減衰の少ない充分な光を前方に照射することができ、使用するＬＥＤ５ａの数が少ない場合であっても視認性が良好となり、表示を際立たせることができる。また、光を透過可能な多数の貫通孔２ａを有する前面板部材２を設けることのみで良いため、構成が非常に簡単であり、しかも、使用するＬＥＤの数が少なくて済む。その結果、製造コストが極めて安価なＬＥＤ看板を提供することができる。
【００２８】
特に、本実施形態では、昼間（周囲が明るい環境）においては、ＬＥＤ５ａを点灯させずとも、表面が所望の色に着色されている前面板部材２によって表示すべき所望の形状を視認することができ、夜間（周囲が暗い環境）においては、ＬＥＤ５ａを点灯し、点灯した複数のＬＥＤ５ａからの光が前面板部材２に設けられた多数の貫通孔２ａを透過して前方に直接的に照射される。これにより、夜間においてはＬＥＤ５ａを点灯して減衰の少ない充分な光を前方に照射することができ、使用するＬＥＤ５ａの数が少ない場合であっても視認性が良好となる。その結果、昼間にＬＥＤ５ａを点灯せずとも充分な視認性を得ることができ、しかも、夜間にＬＥＤ５ａを点灯して充分な視認性を得ることができる。即ち、昼夜兼用の表示を行うことができる。また、前面板部材２及び枠部材３の色の組み合わせを適宜選択することにより、ＬＥＤ５ａの非点灯時の表示を顕著に際立たせることができる。
【００２９】
複数のＬＥＤ５ａを基板５に実装する場合、図５に示すように、これらＬＥＤ５ａを基板５上に千鳥状に交互に配置させても良い。また、複数（例えば３〜５個）のＬＥＤ５ａから各ＬＥＤ群を構成し、複数のＬＥＤ群を基板５上に千鳥状に交互に配置させても良い。このように、各ＬＥＤ群を構成するＬＥＤ５ａの数を適宜設定することにより、看板の輝度を所望の輝度に設定することができる。看板の輝度を所望の値に調整することにより、看板の明確性及び印象とコストとを調和させることが可能となり、また、看板との距離が比較的近い位置又は遠い位置であっても、看板によって表示されるデザインを的確に印象づけることが可能となる。
【００３０】
本実施形態のＬＥＤ看板は、使用するＬＥＤ５ａの数を少なくすることができるため、ＬＥＤによる発熱量が元々小さく、しかも、前面板部材２の多数の貫通孔２ａを介して看板内部の熱が放散されることから、内部の熱量はさほど大きくならない。
【００３１】
上述した実施形態においては、ＬＥＤ５ａとして、点状光源である一般的な砲弾型又はチップ型ＬＥＤを用いる例について説明したが、本考案はこれに限定されるものではなく、例えば、平板型ＬＥＤを用いても良い。また、この技術分野で従来公知の有機ＥＬから形成されたＬＥＤを用いてもよい。
【００３２】
上述した実施形態の変更態様として、複数のＬＥＤ５ａのうちの一部のＬＥＤを他のＬＥＤとは異なる色の光を発するＬＥＤとすることにより、種々の色パターンを有するＬＥＤ看板を提供することができる。また、一部又は全部のＬＥＤを点滅させることもでき、点灯又は消灯を順次時系列的に行うことにより、流れるような動きを看板上に発生させることもできる。
【００３３】
上述した実施形態及び変更態様は、ＬＥＤ看板に関するものであるが、本考案の表示装置は、看板に限定されるものではなく、表示板、指示板、案内板、その他の昼夜兼用で視認させたいあらゆる表示物に適用することが可能である。
【００３４】
以上述べた実施形態及び変更態様は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００３５】
１  ＬＥＤ看板
２  表面板部材
２ａ  貫通孔
３  枠部材
４  筐体
４ａ  開口部
４ｂ  底面部
４ｃ  側面部
５  配線基板
５ａ  ＬＥＤ
【図１】
0003218762.tif 000003
【図２】
0003218762.tif 000004
【図３】
0003218762.tif 000005
【図４】
0003218762.tif 000006
【図５】
0003218762.tif 000007